(57)【要約】【課題】所望する画面を直ぐに視認することができる画像処理装置、画像処理方法、画像処理プログラム、及びプリント注文受付装置を提供する。【解決手段】プリント注文受付装置は、画像選択画面４５、編集内容変更画面６０のいずれかを表示する。画像選択画面４５は、複数のサムネイル画像４４を表示する一覧表示領域４６と、一覧表示領域４６内で選択した選択画像を仕上がり状態に表示する仕上がりプリント表示領域４８とを並べて表示する。編集内容変更画面６０は、仕上がりプリント表示領域４８と選択画像を編集するための編集ボタン５７を表示する編集コマンド表示領域５８とを並べて表示する。選択部は何れか一つの画面を選択して表示する。【選択図】図７
2016004398.tif 000002
【特許請求の範囲】
【請求項１】
入力された複数の画像を表示する一覧表示領域と、前記一覧表示領域内で選択した選択画像を仕上がり状態に表示する仕上がりプリント表示領域とを並べて表示する第１画面を作成する第１画面作成部と、
前記仕上がりプリント表示領域と、前記選択画像を編集するための編集コマンドを表示する編集コマンド表示領域とを並べて表示する第２画面を作成する第２画面作成部と、
前記第１画面、及び前記第２画面の中の１つを選択する選択部と、
選択された画面を表示する表示部と、
を備えることを特徴とする画像処理装置。
【請求項２】
前記第１画面作成部及び前記第２画面作成部は、複数の前記選択画像の配列位置を定めるテンプレートに複数の前記選択画像を合成して前記仕上がりプリント表示領域に表示し、
また、種類の異なる複数の前記テンプレートを前記仕上がりプリント表示領域中にテンプレート選択領域を表示するテンプレート選択領域作成部を備えていることを特徴とする請求項１記載の画像処理装置。
【請求項３】
入力された複数の画像を表示する一覧表示領域と、前記一覧表示領域内で選択した選択画像を仕上がり状態に表示する仕上がりプリント表示領域とを並べて表示する第１画面を作成する第１画面作成部と、
前記仕上がりプリント表示領域と前記選択画像を編集するための編集コマンドを表示する編集コマンド表示領域とを並べて表示する第２画面を作成する第２画面作成部と、
前記仕上がりプリント表示領域と指定した前記編集コマンドの下位の階層に含まれる項目が吹き出し内に表示される吹き出し表示領域と前記編集コマンド表示領域とを並べて表示する第３画面を作成する第３画面作成部と、
前記第１画面、前記第２画面、及び前記第３画面の中の１つを選択する選択部と、
選択された画面を表示する表示部と、
を備えることを特徴とする画像処理装置。
【請求項４】
前記第２画面の中の前記プリント表示領域は、前記第１画面又は前記第３画面の中の前記仕上がりプリント表示領域より大きなサイズになっていることを特徴とする請求項３記載の画像処理装置。
【請求項５】
前記選択部は、前記第２画面及び前記第３画面に表示され前記第１画面を選択する第１操作部と、前記第１画面に表示され前記第２画面を選択する第２操作部と、前記第２画面に表示され前記第３画面を選択する第３操作部と、前記第３画面に表示され前記第２画面を選択する第４操作部と、を備えることを特徴とする請求項３又は４に記載の画像処理装置。
【請求項６】
前記第１画面作成部、前記第２画面作成部、及び前記第３画面作成部は、複数の前記選択画像の配列位置を定めるテンプレートに複数の前記選択画像を合成して前記仕上がりプリント表示領域に表示し、
また、種類の異なる複数の前記テンプレートを前記仕上がりプリント表示領域中にテンプレート選択領域を表示するテンプレート選択領域作成部を備えていることを特徴とする請求項３から５のいずれか一項に記載の画像処理装置。
【請求項７】
請求項１ないし６のいずれか一項に記載の画像処理装置と、
前記仕上がりプリント表示領域に、仕上がり状態で表示された選択画像に対してプリントを注文する注文部と、
を備えることを特徴とするプリント注文受付装置。
【請求項８】
入力された複数の画像を表示する一覧表示領域と、前記一覧表示領域内で選択した選択画像を仕上がり状態に表示する仕上がりプリント表示領域とを並べて画像選択画面を表示する第１画面を作成する第１画面作成ステップと、
前記プリント表示領域と、前記選択画像を編集するための編集コマンドを表示する編集コマンド表示領域とを並べて表示する第２画面を作成する第２画面作成ステップと、
前記第１画面、及び前記第２画面の中の１つを選択する選択ステップと、
選択された画面を表示する表示ステップと、
を含むことを特徴とする画像処理方法。
【請求項９】
入力された複数の画像を表示する一覧表示領域と、前記一覧表示領域内で選択した選択画像を仕上がり状態に表示する仕上がりプリント表示領域とを並べて表示する第１画面を作成する第１画面作成ステップと、
前記仕上がりプリント表示領域と前記選択画像を編集するための編集コマンドを表示する編集コマンド表示領域とを並べて表示する第２画面を作成する第２画面作成ステップと、
前記仕上がりプリント表示領域と指定した前記編集コマンドの下位の階層に含まれる項目が吹き出し内に表示される吹き出し表示領域と前記編集コマンド表示領域とを並べて表示する第３画面を作成する第３画面作成ステップと、
前記第１画面、前記第２画面、及び第３画面の中の１つを選択する選択ステップと、
選択された画面を表示する表示ステップと、
を含むことを特徴とする画像処理方法。
【請求項１０】
入力された複数の画像を表示する一覧表示領域と、前記一覧表示領域内で選択した選択画像を仕上がり状態に表示する仕上がりプリント表示領域とを並べて画像選択画面を表示する第１画面を作成する第１画面作成ステップと、
前記プリント表示領域と、前記選択画像を編集するための編集コマンドを表示する編集コマンド表示領域とを並べて表示する第２画面を作成する第２画面作成ステップと、
前記第１画面、及び前記第２画面の中の１つを選択する選択ステップと、
選択された画面を表示する表示ステップと、
をコンピュータに実行させることを特徴とする画像処理プログラム。
【請求項１１】
入力された複数の画像を表示する一覧表示領域と、前記一覧表示領域内で選択した選択画像を仕上がり状態に表示する仕上がりプリント表示領域とを並べて表示する第１画面を作成する第１画面作成ステップと、
前記仕上がりプリント表示領域と前記選択画像を編集するための編集コマンドを表示する編集コマンド表示領域とを並べて表示する第２画面を作成する第２画面作成ステップと、
前記仕上がりプリント表示領域と指定した前記編集コマンドの下位の階層に含まれる項目が吹き出し内に表示される吹き出し表示領域と前記編集コマンド表示領域とを並べて表示する第３画面を作成する第３画面作成ステップと、
前記第１画面、前記第２画面、及び第３画面の中の１つを選択する選択ステップと、
選択された画面を表示する表示ステップと、
をコンピュータに実行させることを特徴とする画像処理プログラム。
【発明の詳細な説明】
【技術分野】
【０００１】
本発明は、画像処理装置、画像処理方法、画像処理プログラム、及びプリント注文受付装置に関する。
【背景技術】
【０００２】
写真店やラボ等のサービス店等の店頭に設置され、ユーザーの操作によりプリント注文を受け付けるプリント注文受付装置が知られている。プリント注文受付装置は、画像データを記録した電子カメラやメモリカード等の入力デバイスを接続することで、画像データを取り込む。取り込んだ画像データは、サムネイル画像に縮小処理される。サムネイル画像は、プリント注文受付装置の表示部に一覧表示される。プリント注文受付装置は、一覧表示の中から所望するサムネイル画像をプリント対象として選択させることでプリントの注文を受け付ける。
【０００３】
近年、画像を入力する入力デバイスの種類の増加や、画像の配列位置を定めるテンプレートや編集機能等のプリント設定の多様化に伴って、操作画面での設定項目が増加している。このため、ユーザは、プリントを注文するときに、複数の設定項目を選択する操作が必要になっている（例えば、特許文献１）。
【０００４】
具体的には、取り込んだ画像の一覧を表示する第１画面が表示され、第１画面内においてプリント対象とする画像を選択して選択完了を入力すると、次の第２画面に切り替わる。そして、第２画面では、プリンタの出力先や、用紙サイズ、用紙の種類等を選択する。その後、第２画面で選択完了を入力すると、次に第３画面に切り替わり、第３画面において、レイアウト（編集）等を行っていく。このように、階層化された設定画面を下位階層に向けて順次切り替えていく。
【先行技術文献】
【特許文献】
【０００５】
【特許文献１】特開２００３−２３１３２３
【発明の概要】
【発明が解決しようとする課題】
【０００６】
しかし、ユーザーは、所望する画面、例えば一覧表示中から選択した画像（以下「選択画像」と称す）を選択する一覧選択画面に戻って選択画像を差し替えたい場合がある。この場合には、例えば「戻る」ボタンを順に操作して上位の画面に戻していく作業、あるいは、例えば「キャンセル（クリア）」ボタンを操作して、選択した内容を全てクリアして最初の画面に戻って初めから選択をやり直す作業のいずれかを選ぶしかなく、極めて煩わしい操作になっていた。そこで、ユーザーが所望する画面を直ぐに視認できることが望まれていた。
【０００７】
本発明は、ユーザーが所望する画面を簡単に簡便に直ぐに視認することができる画像処理装置、画像処理方法、画像処理プログラム、及びプリント注文受付装置を提供することを目的とする。
【課題を解決するための手段】
【０００８】
本発明の画像処理装置の一観点によれば、入力された複数の画像を表示する一覧表示領域と一覧表示領域内で選択した選択画像を仕上がり状態に表示する仕上がりプリント表示領域とを並べて画像選択画面を表示する第１画面を作成する第１画面作成部と、プリント表示領域と選択画像を編集するための編集コマンドを表示する編集コマンド表示領域とを並べて表示する第２画面を作成する第２画面作成部と、第１画面及び前記第２画面の中の１つを選択する選択部と、選択された画面を表示する表示部と、を備えたものである。
【０００９】
第１画面作成部及び第２画面作成部は、複数の選択画像の配列位置を定めるテンプレートに複数の選択画像を合成して仕上がりプリント表示領域に表示するとともに、種類の異なる複数のテンプレートを仕上がりプリント表示領域中に表示するテンプレート選択領域を作成するテンプレート選択領域作成部を備えるのが望ましい。
【００１０】
別の観点によれば、画像処理装置では、入力された複数の画像を表示する一覧表示領域と一覧表示領域内で選択した選択画像を仕上がり状態に表示する仕上がりプリント表示領域とを並べて表示する第１画面を作成する第１画面作成部と、仕上がりプリント表示領域と選択画像を編集するための編集コマンドを表示する編集コマンド表示領域とを並べて表示する第２画面を作成する第２画面作成部と、仕上がりプリント表示領域と指定した編集コマンドの下位の階層に含まれる項目が吹き出し内に表示される吹き出し表示領域と編集コマンド表示領域とを並べて表示する第３画面を作成する第３画面作成部と、第１画面第２画面及び第３画面の中の１つを選択する選択部と、選択された画面を表示する表示部と、を備えたものである。
【００１１】
第２画面の中のプリント表示領域としては、第１画面又は第３画面の中の仕上がりプリント表示領域より大きなサイズにするのが、視認性の向上を図ることができるため、好適である。
【００１２】
選択部としては、第２画面及び第３画面に表示され第１画面を選択する第１操作部と、第１画面に表示され第２画面を選択する第２操作部と、第２画面に表示され第３画面を選択する第３操作部と、第３画面に表示され第２画面を選択する第４操作部と、を備えるのが望ましい。
【００１３】
第１画面作成部、第２画面作成部、及び第３画面作成部は、複数の選択画像の配列位置を定めるテンプレートに複数の選択画像を合成して仕上がりプリント表示領域に表示するとともに、種類の異なる複数のテンプレートを仕上がりプリント表示領域中に表示するテンプレート選択領域を作成するテンプレート選択領域作成部を備えるのが望ましい。
【００１４】
本発明のプリント注文受付装置の一観点によれば、前述した画像処理装置と、仕上がりプリント表示領域に仕上がり状態で表示された選択画像に対してプリントを注文する注文部と、を備えたものである。
【００１５】
本発明の画像処理方法の一観点によれば、入力された複数の画像を表示する一覧表示領域と一覧表示領域内で選択した選択画像を仕上がり状態に表示する仕上がりプリント表示領域とを並べて画像選択画面を表示する第１画面を作成する第１画面作成ステップと、プリント表示領域と選択画像を編集するための編集コマンドを表示する編集コマンド表示領域とを並べて表示する第２画面を作成する第２画面作成ステップと、第１画面及び第２画面の中の１つを選択する選択ステップと、選択された画面を表示する表示ステップと、を含むものである。
【００１６】
第１及び第２画面作成部は、複数の選択画像の配列位置を定めるテンプレートに選択画像を合成して仕上がりプリント表示領域に表示するとともに、仕上がりプリント表示領域中で種類の異なる複数のテンプレートの中から一つを選択するテンプレート選択部を備えるのが、前の画面に戻る操作を必要としないので、好適である。
【００１７】
別の観点によれば、画像処理方法では、入力された複数の画像を表示する一覧表示領域と一覧表示領域内で選択した選択画像を仕上がり状態に表示する仕上がりプリント表示領域とを並べて表示する第１画面を作成する第１画面作成ステップと、仕上がりプリント表示領域と選択画像を編集するための編集コマンドを表示する編集コマンド表示領域とを並べて表示する第２画面を作成する第２画面作成ステップと、仕上がりプリント表示領域と指定した編集コマンドの下位の階層に含まれる項目が吹き出し内に表示される吹き出し表示領域と編集コマンド表示領域とを並べて表示する第３画面を作成する第３画面作成ステップと、第１画面第２画面及び第３画面の中の１つを選択する選択ステップと、選択された画面を表示する表示ステップと、を含むものである。
【００１８】
第１ないし第３画面作成部は、複数の選択画像の配列位置を定めるテンプレートに選択画像を合成して仕上がりプリント表示領域に表示するとともに、仕上がりプリント表示領域中で種類の異なる複数のテンプレートの中から一つを選択するテンプレート選択部を備えているのが、前の画面に戻る操作を必要としないので、好適である。
【００１９】
本発明の画像処理プログラムの一観点によれば、入力された複数の画像を表示する一覧表示領域と、一覧表示領域内で選択した選択画像を仕上がり状態に表示する仕上がりプリント表示領域とを並べて画像選択画面を表示する第１画面を作成する第１画面作成ステップと、プリント表示領域と選択画像を編集するための編集コマンドを表示する編集コマンド表示領域とを並べて表示する第２画面を作成する第２画面作成ステップと、第１画面及び第２画面の中の１つを選択する選択ステップと、選択された画面を表示する表示ステップと、を実行させるものである。
【００２０】
別の観点によれば、画像処理プログラムでは、入力された複数の画像を表示する一覧表示領域と、一覧表示領域内で選択した選択画像を仕上がり状態に表示する仕上がりプリント表示領域とを並べて表示する第１画面を作成する第１画面作成ステップと、仕上がりプリント表示領域と選択画像を編集するための編集コマンドを表示する編集コマンド表示領域とを並べて表示する第２画面を作成する第２画面作成ステップと、仕上がりプリント表示領域と指定した編集コマンドの下位の階層に含まれる項目が吹き出し内に表示される吹き出し表示領域と編集コマンド表示領域とを並べて表示する第３画面を作成する第３画面作成ステップと、第１画面第２画面及び第３画面の中の１つを選択する選択ステップと、選択された画面を表示する表示ステップと、を実行させるものである。
【発明の効果】
【００２１】
ユーザーが所望する画面を直ぐに視認することができる。
【図面の簡単な説明】
【００２２】
【図１】プリント注文受付装置の斜視図である。
【図２】プリント注文受付装置の電気的構成を示すブロック図である。
【図３】画像選択画面を示す説明図である。
【図４】編集画面を示す説明図である。
【図５】編集内容変更画面を示す説明図である。
【図６】プリント注文の手順を示すフローチャートである。
【図７】画像選択画面と編集内容変更画面との二画面の例を示す説明図である。
【図８】図７の画像選択画面を示す説明図である。
【図９】図７の編集内容変更画面を示す説明図である。
【図１０】仕上がりプリント表示領域中に注文追加機能を備えた編集画面を示す説明図である。
【図１１】図１０の電気的構成の概略を示すブロック図である。
【図１２】図１０のプリント追加手順を示すフローチャートである。
【図１３】注文追加機能を備えた画像選択画面を示す説明図である。
【図１４】注文追加機能を備えた編集内容変更画面を示す説明図である。
【図１５】注文を追加した後の編集内変更画面を示す説明図である。
【発明を実施するための形態】
【００２３】
図１は、本発明の一形態であるプリント注文受付装置１０を示す。プリント注文受付装置１０には、図１に示すように、表示部１１、スロット１２、無線接続部１３を有し、また、外部にはプリンタ１４が接続されている。表示部１１は、タッチセンサ１５を有する。スロット１２には、画像データ等が記憶された、例えばメモリカードが接続される。無線接続部１３には、例えば携帯電話や携帯型情報端末装置が無線により接続される。プリント注文受付装置１０は、接続される機器から画像データを取り込む。取り込まれた画像データは、サムネイル画像に縮小処理される。サムネイル画像は、表示部１１に一覧表示される。ユーザーは、サムネイル画像の一覧表示を含む注文画面を見て入力操作しながら注文情報を作成していく。
【００２４】
プリンタ１４は、プリント注文受付装置１０から顧客識別データを含む注文情報や画像データを取り込み、注文情報に対応したプリント処理を行う。店頭では、完成したプリント写真が顧客に手渡されると共に、プリント代金の精算が行われる。
【００２５】
なお、図１では、プリンタ１４に対してプリント注文受付装置１０を１台接続する構成として説明しているが、複数接続する構成としてもよい。また、プリント注文受付装置１０に対してプリンタ１４を遠隔地に設置する場合、互いをＬＡＮ（Local Area Network）やインターネットを介して接続する構成としてもよい。さらに、マウスやキーボード等を含む入力部をプリント注文受付装置１０に設けて、入力部での操作により注文情報を作成する構成としてもよい。
【００２６】
図２は、プリント注文受付装置１０の電気的構成を示す。プリント注文受付装置１０は、図２に示すように、ＣＰＵ(central processing unit)１８、表示部１１、ＲＯＭ(Read Only Memory)１９、ＲＡＭ(Random Access Memory)２０、ＶＲＡＭ(Video RAM)２１、カードリーダ２２、記憶部２３、無線接続部１３、及び通信制御部２５を有する。
【００２７】
表示部１１は、タッチセンサ１５と表示パネル２６とを有する。表示パネル２６には、注文情報を作成するための注文画面が表示される。顧客は、注文画面の手順に従って入力操作を行うことで注文情報を作成する。カードリーダ２２は、スロット１２内に設けられ、例えばメモリーカードに記憶された画像データを取り込む。
【００２８】
記憶部２３は、取り込んだ画像データを記憶する画像データ格納部２７を有する。他に、注文画面を生成するときに使用する部品画像のデータを含む画像情報等を格納する画像情報格納部２８を有する。画像情報は、注文画面で表示するためのアニメーション画像用の画像データ等を含む。また、記憶部２３には、注文情報を作成するのに必要なテンプレートのデータや、編集処理に必要なプログラムやデータ等の情報が記憶される。
【００２９】
通信制御部２５は、プリンタ１４との間でデータを送受信するためのものであり、例えばＬＡＮカード等が使用される。通信制御部２５は、予めセットされたプリンタ識別情報に対応するプリンタ１４と接続して、接続されたプリンタ１４に注文情報や画像データを送信する。なお、プリンタ識別情報は、記憶部２３に記憶される。
【００３０】
ＲＯＭ１９には、主プログラム３０、操作処理プログラム３１、画面制御プログラム３２等が書き込まれている。主プログラム３０は、ＣＰＵ１８により最初に実行され注文情報を作成するためのものである。操作処理プログラム３１は、タッチセンサ１５等の入力部から入力されるタッチ位置、及びタッチの種類に応じた入力情報をＣＰＵ１８が処理するための情報に対応させるためのものである。画面制御プログラム３２は、入力情報に基づいて遷移させる画面を制御するためのものである。ＲＡＭ２０は、ＣＰＵ１８等が各種のプログラムを実行するための作業用のメモリである。
【００３１】
ＣＰＵ１８は、主プログラム３０を実行することで、注文画面を生成して入力情報に基づいて注文情報を作成する。注文画面は、画像一覧を表示する画像選択画面、編集コマンドを表示する編集画面、編集コマンドの下位の階層に含まれる項目を表示する編集内容変更画面を有する。ＣＰＵ１８は、画像選択画面を生成する画像選択画面作成部３４、編集画面を作成する編集画面作成部３５、編集内容変更画面を作成する編集内容変更画面作成部３６を有する。
【００３２】
また、ＣＰＵ１８は、サムネイル画像作成部３７、選択部４２、及び注文部３３を有する。サムネイル画像作成部３７は、取り込んだ画像に基づいて縮小処理したサムネイル画像４４（図３参照）を作成する。選択部４２は、入力情報に基づいて、画像選択画面、編集画面、及び編集内容変更画面のうちの一つの画面を選択する。注文部３３は、入力情報に基づいて注文情報を作成する。
【００３３】
なお、画像選択画面は第１画面の一例であり、画像選択画面作成部３４は第１画面作成部の一例である。編集画面は第２画面の一例であり、編集画面作成部３５は第２画面作成部の一例である。編集内容変更画面は第３画面の一例であり、編集内容変更画面作成部３６は第３画面作成部の一例である。
【００３４】
ＶＲＡＭ２１は、表示部１１に注文画面等を表示するための専用のメモリであり、第１〜第３領域用メモリ３８〜４０と、表示メモリ４１とを有する。注文画面は、表示内容が異なる３つの領域、例えば一覧表示領域、仕上がりプリント表示領域、及び吹き出し表示領域を含む編集コマンド表示領域を有している。
【００３５】
第１〜第３領域用メモリ３８〜４０は、３つの領域に表示する画面を作成するためのメモリである。第１領域用メモリ３８は、一覧表示領域に画像を作成するときに使う。第２領域用メモリ３９は、仕上がりプリント表示領域に画像を作成するときに使う。第３領域用メモリ４０は、編集コマンド表示領域、及び吹き出し表示領域に画像を作成するときに使う。
【００３６】
表示メモリ４１では、選択部４２により選択された画面となるように、第１〜第３領域用メモリ３８〜４０内の各画像が合成される。表示メモリ４１で合成された注文画面は、表示パネル２６に出力される。
【００３７】
図３は、画像選択画面４５を示す。画像選択画面４５には、図３に示すように、入力されたサムネイル画像４４を表示する一覧表示領域４６と、プリント表示領域４８とが並べて表示される。プリント表示領域４８は、一覧表示領域４６内に表示される複数のサムネイル画像４４中から選択された選択画像４７と同様なプリント選択画像４７ａを仕上がり状態に表示する。仕上がり状態とは、画像の見え方の他に、プリント（シート）全体に対する選択画像４７の位置、大きさ、範囲等がプリンタ１４でプリントしたときの仕上がりと同様な状態をいう。サムネイル画像４４は、入力される複数の画像の一例である。
【００３８】
また、画像選択画面４５には、編集画面に遷移するためのボタン、例えば「編集」ボタン４９が表示される。さらに、画像選択画面４５には、編集画面に遷移するためのボタン、例えば「とじる」ボタン５０が表示される。仕上がりプリント表示領域４８に表示されるプリント選択画像４７ａは、例えばテンプレート４３に合成した予定の仕上がりプリント５２として表示される。テンプレート４３は、プリント選択画像４７ａの配列（レイアウト）を定める雛形であり、プリント選択画像４７ａは、テンプレート４３に応じて１つ、又は複数選択される。なお、「編集」ボタン４９又は「とじる」ボタン５０は、第２操作部の一例である。
【００３９】
なお、図３において、一覧表示領域４６は、サムネイル画像４４が一頁に収まらない場合、上下にスクロールされる領域になる。また、一覧表示領域４６及び仕上がりプリント表示領域４８の選択画像４７，４７ａ内に記載の番号は、例えば入力される複数の画像の取り込み順を表す番号である。この例では、一覧表示領域４６で選択された選択画像４７は、テンプレート４３の各コマのうち番号の同じコマに合成されている。
【００４０】
図４は、編集画面５５を示す。編集画面５５には、図４に示すように、一覧表示領域４６の一部、仕上がりプリント表示領域５６、編集コマンド表示領域５８とが並べて表示される。なお、一覧表示領域４６の一部を省略してもよい。仕上がりプリント表示領域５６は、画像選択画面４５及び詳しくは後述する編集内容変更画面６０中の仕上がりプリント表示領域４８よりも大きなサイズに拡大して表示される。編集コマンド表示領域５８には、プリント選択画像４７ａを編集するための複数の編集ボタン５７のコマンドが配列して表示される。編集画面５５に表示される各種の編集ボタン５７は、詳しくは後述する編集内容変更画面６０に遷移するためのボタンを兼ねる。また、編集画面５５には、画像選択画面４５に遷移するためのボタン、例えば「ひらく」ボタン６１が表示される。なお、「ひらく」ボタン６１は、第１操作部の一例であり、また、編集ボタン５７は、第３操作部の一例である。
【００４１】
図５は、編集内容変更画面６０を示す。編集内容変更画面６０には、図５に示すように、仕上がりプリント表示領域４８と、指定した編集ボタン５７の下位の階層に含まれる項目が吹き出し内に表示される吹き出し表示領域６３と、編集コマンド表示領域５８とが並べて表示される。編集内容変更画面６０中の仕上がりプリント表示領域４８は、編集画面５５中の仕上がりプリント表示領域５６よりも小さいサイズになっている。編集内容変更画面６０に表示される各種の編集ボタン５７は、編集画面５５に遷移するボタンを兼ねる。また、編集内容変更画面６０には、画像選択画面４５に遷移するためのボタン、例えば「ひらく」ボタン６４が表示される。なお、「ひらく」ボタン６４は、第１操作部の一例である。編集内容変更画面６０において編集ボタン５７は、第４操作部の一例である。
【００４２】
図６は、注文画面の手順を示す。プリント注文受付装置１０を立ち上げると、まず、表示部１１には、画像取り込み画面が表示される（Ｓ１１００）。画像取り込み画面において、接続先を指定して、接続された、例えばメモリカードから画像データを取り込む操作を行う。取り込んだ画像データは、画像データ格納部２７に格納される（Ｓ１２００）。画像データを取り込んだ後には、サムネイル画像作成部３７により、画像データを縮小処理したサムネイル画像が作成される。作成したサムネイル画像は、記憶部２３に記憶される（Ｓ１３００）。
【００４３】
画像データの取り込み中、又は取り込み後には、画像取り込み画面からサービストップ画面に遷移される（Ｓ１４００）。サービストップ画面では、例えば「１枚プリント」、「ポストカード」、「フォトブック」等のプリント種別を指定する項目の中で一つをタッチ操作により選択する。
【００４４】
サービストップ画面でプリント種別の選択を完了すると、テンプレート選択画面が表示される（Ｓ１５００）。テンプレート選択画面では、種類の異なるテンプレートが複数表示される。複数のテンプレート中で一つをタッチ操作により選択することで、画像選択画面４５に遷移する（Ｓ１６００）。
【００４５】
画像選択画面４５では、詳しくは図３で説明したように、一覧表示領域４６と仕上がりプリント表示領域４８とが横に並べて表示される。一覧表示領域４６には、記憶部２３に記憶したサムネイル画像４４の一覧が、例えば二次元に配列される。サムネイル画像４４の全てが一画面に収まらない場合には、例えば縦方向にスクロール可能な領域として一覧表示領域４６が作成される。一覧表示領域４６では、プリント対象のサムネイル画像４４をタッチ操作により選択する。選択画像４７は、輪郭の色が変わる等の強調表示となる。
【００４６】
仕上がりプリント表示領域４８には、テンプレート選択画面で選択したテンプレート４３にプリント選択画像４７ａを合成した仕上がりプリント５２が表示される。テンプレート４３は、例えば６コマ用テンプレートとなっており、各コマには一覧表示領域４６内で選択した、例えば６個の選択画像４７が配列される。
【００４７】
仕上がりプリント表示領域４８に表示される仕上がりプリント５２を視認することで、プリントの仕上がりをイメージすることができる。そして、仕上がりプリント５２を見ながら、所望するプリントになるように、一覧表示領域４６中で選択画像４７を変更することができる。
【００４８】
画像選択画面４５において、「編集」ボタン４９、又は「とじる」ボタン５０をタッチ操作すると（Ｓ１７００のＹ側、Ｓ１８００のＹ側）、編集画面５５に切り替わる（Ｓ１９００）。このとき、一覧表示領域４６が左方に押し出されて縮小され、代わりに仕上がりプリント表示領域４８が左方に引き出されて拡大されて拡大の仕上がりプリント表示領域５６に変化するアニメーション画像が表示される。編集画面５５では、仕上がりプリント表示領域５６の拡大に伴って仕上がりプリント５４も拡大されるため、仕上がり状態の視認性が向上する。
【００４９】
編集画面５５において、「ひらく」ボタン６１をタッチ操作をすると（Ｓ２０００のＹ側）、画像選択画面４５に切り替わる（Ｓ１６００）。このとき、一覧表示領域４６が左方から引き出されて拡大され、代わりに仕上がりプリント表示領域５６が縮小されて縮小の仕上がりプリント表示領域４８に変化するアニメーション画像が表示される。
【００５０】
編集画面５５において、各種編集ボタン５７のうちの所定の編集ボタン５７、例えば「スタンプ」ボタン５７をタッチ操作すると（Ｓ２１００のＹ側）、編集内容変更画面６０が表示される（Ｓ２２００）。編集内容変更画面６０に切り替わるときには、選択した「スタンプ」ボタン５７の下位の階層に含まれる項目を吹き出し内に表示するための吹き出し表示領域６３が左方に引き出されて拡大され、代わりに拡大の仕上がりプリント表示領域５６が縮小の仕上がりプリント表示領域４８に縮小されるアニメーション画像が表示される。なお、編集内容変更画面６０及び編集画面５５には、左方に一覧表示領域４６の一部が表示されている。このため、一覧表示領域４６が存在する位置を認識させることができる。
【００５１】
吹き出し表示領域６３に表示される吹き出しは、編集ボタン５７の下位の階層に含まれる項目の数に応じて大きさが決められる。吹き出し表示領域６３は、開の階層に含まれる全項目が吹き出し内に収まらない場合、例えば縦方向にスクロールして、非表示の項目を表示させる。
【００５２】
編集内容変更画面６０において、「ひらく」ボタン６４をタッチ操作すると（Ｓ２３００のＹ側）、画像選択画面４５に戻る（Ｓ１６００）。このとき、一覧表示領域４６が右方に引き出されて移動して拡大され、これに伴って仕上がりプリント表示領域４８が右方に移動して、代わりに吹き出し表示領域６３が編集コマンド表示領域５８とともに右方向に向けて押されて消えていくアニメーション画像が表示される。
【００５３】
また、編集内容変更画面６０において、選択した「スタンプ」ボタン５７をタッチ操作すると（Ｓ２４００のＹ側）、編集画面５５に戻る（Ｓ１９００）。このとき、編集コマンド表示領域５８はそのままで吹き出し表示領域６３が右方に押されて縮小され、代わりに縮小の仕上がりプリント表示領域４８が右方に引き出されて拡大の仕上がりプリント表示領域５６に拡大されるアニメーション画像が表示される。
【００５４】
このようにアニメーション画像を表示することで、画面遷移ではなく、一覧表示領域４６、仕上がりプリント表示領域４８，５６、吹き出し表示領域６３の各々が、例えば左右にスライド移動する動的な変化を視認させる。これにより、一覧表示領域４６、仕上がりプリント表示領域４８，５６、吹き出し表示領域６３の開閉方向（引き出し方向）を直観的に把握させることができる。
【００５５】
また、編集画面５５を選択すると、画像選択画面４５及び編集内容変更画面６０に対して、仕上がりプリント表示領域５６が拡大表示され、さらに、画像選択画面４５を選択すると、編集画面５５に対して一覧表示領域４６が拡大表示され、さらにまた、編集内容変更画面６０を選択すると、編集画面５５に対して編集コマンド表示領域５８が吹き出し表示領域６３の分だけ拡大表示されるように、選択した画面に応じてその画面の主となる領域のサイズが大きくなるので、目的の領域の視認性が向上して作業を簡便に行える。
【００５６】
画像選択画面４５、編集画面５５、編集内容変更画面６０において、右下には、次の画面に進むためのボタン、例えば「仕上がり確認」ボタン６６が表示されている。「仕上がり確認」ボタン６６をタッチ操作すると（Ｓ２５００のＹ側）、注文画面に切り替わる（Ｓ２６００）。注文画面では、枚数を設定して「注文ボタン」をタッチ操作することで注文情報が作成され、注文情報と注文情報にリンクされた画像データとがプリンタ１４に出力される（Ｓ２７００）。
【００５７】
このように、画像選択画面４５、編集画面５５、編集内容変更画面６０のいずれかには、仕上がりプリント表示領域４８，５６が表示されている。このため、仕上がり状態を直ぐに視認でき、よって、効率よく作業することができる。また、画面を切り替えて仕上がりプリント表示領域を見に行く従来の作業を伴うことがないので、作業の迅速化を図ることができる。さらに、編集画面５５に切り替わるときの仕上がりプリント表示領域４８，５６の拡大率（縮小率）は、一覧表示領域４６、吹き出し表示領域６３の拡大率（縮小率）に比べて低くなっている。このため、仕上がりプリント表示領域４８，５６に対してユーザーの視線移動を極力減らすことができ、よって、目に負担をかけることを防ぐことができる。
【００５８】
上記各実施形態では、画像選択画面４５、編集画面５５、編集内容変更画面６０との三つの画面で遷移しているが、編集画面５５を省略して、画像選択画面４５、編集内容変更画面６０との二つの画面で遷移する構成にしてもよい。
【００５９】
図７は、編集画面５５を省略し、画像選択画面４５と編集内容変更画面６０との二つの画面のうちのいずれに切り替えて表示する例を示す。なお、図７では、位置関係が分かるように、二つの画面４５，６０を一緒に記載している。図示のように、二つの画面４５，６０は、共通する仕上がりプリント表示領域４８を有する。
【００６０】
図８は、図７の画像選択画面４５を示す。画像選択画面４５には、図８に示すように、入力された複数のサムネイル画像４４を表示する一覧表示領域４６と、一覧表示領域４６内で選択した選択画像を仕上がり状態に表示する仕上がりプリント表示領域４８とが並べて表示される。画像選択画面４５は、第１画面の一例である。
【００６１】
図９は、図７の編集内容変更画面６０を示す。編集内容変更画面６０には、図９に示すように、仕上がりプリント表示領域４８と、選択画像を編集するための編集ボタン５７のコマンドを表示する編集コマンド表示領域５８と、指定した編集ボタン５７の下位の階層に含まれる項目が吹き出し内に表示される吹き出し表示領域６３とが並べて表示される。なお、編集内容変更画面６０は、第２画面の一例である。この例では、画像選択画面４５、編集内容変更画面６０において、仕上がりプリント表示領域４８、及び仕上がりプリント５２を同様のサイズで表示する。
【００６２】
なお、図８に示す「編集」ボタン４９は、編集内容変更画面６０を選択して表示するものであり、選択部の一例である。図９に示す「とじる」ボタン５０は、画像選択画面４５を選択して表示するものであり、選択部の一例である。
【００６３】
図１０は、注文プリントを追加する機能（以下、「注文追加機能」と称す）を画像選択画面７０に備えた例を示す。画像選択画面７０では、図１０に示すように、最初に選択した第１のテンプレート７２が仕上がりプリント表示領域７５に表示され、一覧表示領域４６中から複数の選択画像４７が選択されている。仕上がりプリント表示領域７５には、第１のテンプレート７２に選択画像４７を合成した第１の仕上がりプリント７３が表示されている。画像選択画面作成部３４は、注文追加ボタン、例えば「ＮＥＷ」ボタン７４を仕上がりプリント表示領域７５中に作成する。「ＮＥＷ」ボタン７４をタッチ操作すると、その時点で仕上がりプリント表示領域７５に表示されている第１の仕上がりプリント７３に関する情報、例えばテンプレート７２の種類、選択画像４７、選択画像４７の合成位置が記憶される。
【００６４】
画像選択画面作成部３４は、仕上がりプリント表示領域７５の上下に三角ボタン７６，７７を表示し、仕上がりプリント表示領域７５を、三角ボタン７６，７７の指す方向、例えば上下にスクロールする領域として作成する。仕上がりプリント表示領域７５では、三角ボタン７６，７７をタッチ操作することで、表示されるテンプレート７２がスクロールして切り換わる。
【００６５】
なお、仕上がりプリント表示領域７５のスクロール方向は、画像選択画面７０への移動方向（引き出し方向）とは異なる方向、例えば移動方向に交差する方向に設定するのが好適である。また、仕上がりプリント表示領域７５には、例えば「ＮＥＷ」ボタン７４を操作することなく新たなテンプレートの選択がなされた場合、その時点に選択されているテンプレートを入れ替えるだけの処理としてなる。
【００６６】
図１１は、図１０で説明したプリント注文受付装置８０の電気的構成を示す。ＣＰＵ１８には、図１１に示すように、仕上がりプリント表示領域７５中に、種類の異なるテンプレートを表示するテンプレート選択領域作成部８３を有する。テンプレートの種類は、記憶部８１に記憶されている。
【００６７】
また、記憶部８１には、仕上がりプリント表示領域７５中に表示される仕上がりプリント７３の情報を記憶するテンプレート格納部８２を有する。テンプレート格納部８２には、「ＮＥＷ」ボタン７４の操作に応じて仕上がりプリント７３の情報が格納される。仕上がりプリント７３に関する情報は、その時点で仕上がりプリント表示領域７５に表示されているテンプレート７２の種類、選択されている選択画像４７、選択画像４７の配列（位置）等の情報を含む。なお、図１１には、図３で説明したと同様な部材に同符号を付与している。同符号を付与した部材については、詳しい説明を省略する。
【００６８】
図１２は、仕上がりプリントを追加する手順を示す。画像選択画面７０では、「ＮＥＷ」ボタン７４をタッチ操作すると（Ｓ１８１０のＹ側）、その時点で仕上がりプリント表示領域７５に表示されている仕上がりプリント７３の情報がテンプレート格納部８２に記憶される（Ｓ１８２０）。その後、前回選択した仕上がりプリント７３の表示内容がクリアされる（Ｓ１８３０）。具体的には、仕上がりプリント表示領域７５には新たなテンプレート７２が表示され、また、一覧表示領域４６には、前回選択されていた選択画像４７の、例えば強調表示が消去され、新たなサムネイル画像４４の選択を受け付ける状態になる。なお、図１２には、図６で説明したと同様な処理に同符号を付与している。同符号を付与した処理については、詳しい説明を省略する。
【００６９】
図１３は、第２の仕上がりプリント７８を表示した画像選択画面７０を示す。画像選択画面作成部３４は、仕上がりプリント表示領域７５の上下に三角ボタン７６，７７を表示し、仕上がりプリント表示領域７５を、三角ボタン７６，７７の指す方向、例えば上下にスクロールする領域として作成する。テンプレート選択領域作成部８３は、仕上がりプリント表示領域７５が三角ボタン７６，７７の指す方向にスクロールされることにより、種類の異なるテンプレート７９を表示する。所望するテンプレート７９をタッチ操作することで（Ｓ１８４０のＹ側）、第２のテンプレート７９として登録される（Ｓ１８５０）。そして、一覧表示領域４６に表示されるサムネイル画像４４中から選択画像４７を選択することで（Ｓ１８６０）、選択画像４７と同様なプリント選択画像４７ａを第２のテンプレート７９に合成した仕上がりプリント７８が仕上がりプリント表示領域７５に表示される（Ｓ１８７０）。
【００７０】
図１４は、編集内容変更画面９０に注文追加機能を備えた例を示す。編集内容変更画面作成部３６は、仕上がりプリント表示領域９１の上下に三角ボタン９２，９３を表示し、仕上がりプリント表示領域９１を、三角ボタン９２，９３の指す方向、例えば上下にスクロールする領域として作成する。テンプレート選択領域作成部８３は、三角ボタン９２，９３の指す方向に仕上がりプリント表示領域９１がスクロールされることにより、種類の異なるテンプレート９４を仕上がりプリント表示領域９１に表示する。所望するテンプレート９４をタッチ操作することで、ＣＰＵ１８は、新たなテンプレート９４を追加プリントとして受け付ける。
【００７１】
図１５は、第２のテンプレート９８を選択した状態を示す。編集内容変更画面作成部３６は、編集コマンド表示領域９５に、例えば「テンプレート」の編集ボタン９６を表示する。「テンプレート」の編集ボタン９６をタッチ選択すると、吹き出し表示領域９７中に、種類の異なるテンプレート９８ａが表示される。吹き出し表示領域９７は、スクロール画面として作成される。テンプレート選択領域作成部８３は、スクロールに応じて、仕上がりプリント表示領域９１、又は吹き出し表示領域９７に、種類の異なるテンプレート９８ａを表示する。仕上がりプリント表示領域９１、又は吹き出し表示領域９７に表示されるテンプレート９４ａ，９８ａのうち、所望するテンプレート９８ａを第２のテンプレートとして選択すると、仕上がりプリント表示領域９１に表示されるテンプレート９４が第２のテンプレート９８に入れ替わる。そして、「ＮＥＷ」ボタン７４をタッチ操作すると、ＣＰＵ１８は、第２のテンプレート９８を追加プリントとして受け付ける。このように、図１４及び図１５に示した例では、仕上がりプリント表示領域９１、又は吹き出し表示領域９７のどちらでもテンプレートを選択することができる。
【００７２】
図１０ないし図１５で説明した各例では、種類の異なるテンプレートを表示するテンプレート選択領域作成部８３を備えたので、追加注文を行う場合、又はテンプレートのみを入れ替える場合、前の画面に戻ってテンプレートを選択する等の作業を必要とせず、よって、作業の迅速化を図ることができる。
【００７３】
上記各実施形態では、一覧表示領域、編集領域、編集内容表示領域、又は一覧表示領域、編集内容表示領域を左右にスライド移動させているが、各領域を上下、又は画面の対角方向にスライド移動させる構成としてもよい。
【００７４】
上記各実施形態では、店頭に置かれるプリント注文受付装置について説明しているが、本発明の適用対象はこれに限らず、電話機能を有する情報端末や、各種装置、例えば、ＰＨＳ（Personal Handy-phone System）、ＰＤＡ（Personal Digital Assistan）、ポータブルナビゲーション装置、パーソナルコンピュータ、ゲーム機等に使用される画像処理装置や、画像処理プログラムに対しても本発明は適用できる。
【符号の説明】
【００７５】
１０  プリント注文受付装置
１１  表示部
４５  画像選択画面
５５  編集画面
６０  編集内容変更画面
【図１】
2016004398.tif 000003
【図２】
2016004398.tif 000004
【図３】
2016004398.tif 000005
【図４】
2016004398.tif 000006
【図５】
2016004398.tif 000007
【図６】
2016004398.tif 000008
【図７】
2016004398.tif 000009
【図８】
2016004398.tif 000010
【図９】
2016004398.tif 000011
【図１０】
2016004398.tif 000012
【図１１】
2016004398.tif 000013
【図１２】
2016004398.tif 000014
【図１３】
2016004398.tif 000015
【図１４】
2016004398.tif 000016
【図１５】
2016004398.tif 000017